(57)【要約】【課題】運転モードに応じた音量調整を可能にする。【解決手段】空調装置本体の稼働情報に応じて音量調整が行われる。音量調整の基準は、空調装置本体が運転停止状態にあるときに調整された直前の音量を基準にする。自動調整される規定量は運転モードによって相違する。換気運転モード、暖房運転モード、涼風運転モードなどの運転モードを備えているときは、浴室内に漏れる運転音は、換気運転モードのときが一番低く、涼風運転モードのときのときが一番大きくなるものと予想されるから、この運転音の大小に応じて適切に調整される。運転モードが設定されたとき、別の運転モードに切り替えられたとき、運転モードが停止されたときには、その運転モードの設定、選択、停止に応じて適切に音量がアップダウンする。浴室内から音量を調整できない浴室音響システムでも、入浴しながら常に最適な音量で音楽などを楽しむことができる。【選択図】        図１１
2008193607.tif 000002
【特許請求の範囲】
【請求項１】
浴室に設置された空調装置本体およびスピーカ装置と、
上記スピーカ装置に対する音量等を制御するオーディオ制御部とを有し、
上記オーディオ制御部では、上記空調装置本体の稼働状態に応じて、上記スピーカ装置に対する音量調整が自動的に行われる
ことを特徴とする浴室音響システム。
【請求項２】
上記オーディオ制御部では、上記空調装置本体が運転停止状態にあるときに調整された直前の音量を基準音量として保存し、
上記運転モード時の音量調整が、上記基準音量を基準にして制御される
ことを特徴とする請求項１記載の浴室音響システム。
【請求項３】
上記空調装置は、複数の運転モードを有し、該運転モードに応じて、上記音量調整量を異ならせた
ことを特徴とする請求項１記載の浴室音響システム。
【請求項４】
上記空調装置本体を制御する本体制御用操作パネルと、上記オーディオ制御部に関連したオーディオ制御用操作パネルとをさらに有し、
上記本体制御用操作パネルとオーディオ制御用操作パネルは、浴室の外部に設置される
ことを特徴とする請求項１記載の浴室音響システム。
【請求項５】
上記スピーカ装置を上記空調装置に備えた
ことを特徴とする請求項１乃至４記載の浴室音響システム。
【発明の詳細な説明】
【技術分野】
【０００１】
この発明は浴室音響システムに関する。詳しくは、浴室の天井などに設置された空調装置本体側にスピーカ装置を配置すると共に、空調装置が稼働したときはスピーカ装置から出力される音量を自動調整できるようにして、空調装置が運転されているときでも適切な音量で音楽等を楽しめるようにしたものである。
【背景技術】
【０００２】
最近の浴室には、冬場には暖気を出して快適な環境で入浴を楽しめるように、浴室には空調装置（浴室暖房換気乾燥機など）が設置される場合が多い。
【０００３】
また、最近ではこのような空調装置に加えて、音楽などを聴きながら、よりリラックスした状態で入浴を楽しめるように音響環境を整えた浴室音響化が行われる場合がある。このように空調装置や音響系を備えた浴室音響システムは既に知られている（例えば、特許文献１および特許文献２）。
【０００４】
特許文献１には、浴室の天井裏にチューナ部とオーディオアンプとさらに防水スピーカを設置し、浴室内に設置されたリモコンでオーディオアンプを制御することで、浴室内のオーディオ音量等を調整する技術が開示されている。
【０００５】
また、特許文献２には、空調装置の本体ボックス内にスピーカを配したスピーカシステムが開示されている。
【０００６】
【特許文献１】特開２００６−１７４３１４号公報
【特許文献２】特開２００５−１２７６８８号公報
【発明の開示】
【発明が解決しようとする課題】
【０００７】
ところで、音楽などを楽しみながら入浴する場合、空調装置を働かせながら入浴するときと、そうでないときが考えられる。この場合、例えば前日は空調装置を運転しないで入浴しながら音楽を楽しみ、次の日は空調装置を運転した状態で入浴するときがある。これとは逆に、前日は音楽を楽しむと同時に、空調装置を運転しながら入浴し、次の日は空調装置を働かせることなく入浴する場合がある。
【０００８】
空調装置を運転しているときはその運転音が浴室内に漏れるため、音量は空調装置が働いていないときよりも多少大きくしないと、最適な音量で音楽などを聞くことができない。しかし、空調装置が働いていないときは、逆に音量レベルが大きいので、多少音量を絞らないと、却って耳障りとなってしまう。
【０００９】
これは、通常この種オーディオ装置では、電源を切る直前の音量レベルが記憶され、次に電源を入れたときは記憶されている音量レベルで出力されるようなメモリ機能を有しているからである。
【００１０】
特許文献１のように浴室内から直にリモートコントロールによって音量を調整できる場合はともかく、浴室外の脱衣所などに音量調整用の操作パネルなどが設置され、浴室内よりリモートコントロールできないときは、入浴した後で脱衣所に戻って音量を適切に調整し直すことは非常に面倒である。そのため、少し大きすぎる音量で音楽を聞くか、絞り過ぎた音量で我慢しながら音楽を聴く羽目になってしまう。
【００１１】
したがって快適な音量で常に視聴できる環境に整えるのが好ましい。この場合にも、上述したメモリ機能を有効に活用しつつ、空調装置の運転状況に応じて音量を自動的に調整できた方が好ましい。
【００１２】
そこで、この発明はこのような従来の課題を解決したものであって、特に過去の音量調整を考慮しつつ空調装置の運転状況に応じて音量を適切に調整できるようにした浴室音響システムを提案するものである。
【課題を解決するための手段】
【００１３】
上述の課題を解決するため、請求項１に記載したこの発明に係る浴室音響システムは、浴室に設置された空調装置本体およびスピーカ装置と、
上記スピーカ装置に対する音量等を制御するオーディオ制御部とを有し、
上記オーディオ制御部では、上記空調装置本体の稼働状態に応じて、上記スピーカ装置に対する音量調整が自動的に行われることを特徴とする。
【００１４】
この発明の浴室音響システムは、浴室に設置された空調装置本体とスピーカ装置を備える。スピーカ装置は、スピーカ単体の他、チューナやアンプなどのオーディオ回路部をスピーカボックス内に備えたものも含む。
【００１５】
この発明では、空調装置本体の稼働情報に応じてスピーカ装置に対する音量調整が行われる。音量調整の基準は、空調装置本体が運転停止状態にあるときに調整された直前の音量を基準にする。この基準音量は一定ではなく、利用者によって調整された好みの音量となる。空調装置本体を使用していないときに調整された直前の音量が、基準音量として記憶される。
【００１６】
例えば、前日には音楽を流して入浴したが、空調装置は使用しなかったときは、前日にオーディオ装置の電源をオフした直前の音量が基準音量として記憶されるから、次の日の入浴時に空調装置を稼働したときはこの基準音量を基準にして音量が規定量アップするように自動調整される。音量を調整することで最適な音量で音楽などを楽しむことができる。
【００１７】
自動調整される規定量は、運転モードによって相違する。空調装置として、換気運転モード、暖房運転モード、涼風運転モードなどの運転モードを備えているときは、浴室内に漏れる運転音は、換気運転モードのときが一番低く、涼風運転モードのときのときが一番大きくなるものと予想されるから、この運転音の大小に応じて適切に調整される。
【００１８】
したがって運転モードが設定されたとき、あるいは別の運転モードに切り替えられたとき、さらには運転モードが停止されたときには、その運転モードの設定、選択、停止に応じて適切に音量が自動調整（アップ、ダウン）される。これで、浴室内から音量を調整できない浴室音響システムでも、入浴しながら常に最適な音量で音楽などを楽しむことができる。
【発明の効果】
【００１９】
この発明では、空調装置本体の稼働状態に応じて、スピーカ装置に対する音量調整を自動的に行うようにしたものである。
【００２０】
これによれば、浴室内から音量を調整できない浴室音響システムでも、運転モードの入り切りなどを気にすることなく、入浴しながら常に最適な音量で音楽などを楽しむことができる。
【発明を実施するための最良の形態】
【００２１】
続いて、この発明に係る浴室音響システムの好ましい実施例を図面を参照して詳細に説明する。
【実施例１】
【００２２】
図１は、本発明を適用した浴室音響システムの一例を示す構成図である。この浴室音響システム１０は、浴室１２などの天井１３に取り付けられる空調装置本体１４とオーディオ装置（後述する）から構成される。空調装置本体１４は遠隔制御によりその運転モードが制御される。この例では本体制御用操作パネル３０Ａが浴室１２に隣接する洗面脱衣所１６の壁１６ａに取り付けられている。
【００２３】
空調装置本体１４内には運転モードを制御するための制御ユニット２０を始めとしてそれぞれの運転モードを実現するためのファンやその駆動モータなどが設けられている。換気はフード２２を介して行われる。空調装置本体１４の開口部側はフロントパネル２４によって覆われているが、この開口部を塞がないように、空調装置本体１４のフランジ部（図示はしない）か、フロントパネル２４の内側にオーディオ装置を構成するこの例では一対のスピーカ装置２６（２６Ｌ，２６Ｒ）が浴室１２側を向くように取り付け固定される。
【００２４】
フロントパネル２４の内側にスピーカ装置２６を取り付けたので、天井面にスピーカ装置２６を取り付ける開口部を設けなくてもよく、空調装置本体１４を設置することによりスピーカ装置も設置できるようになり、施工性を向上させることができる。
【００２５】
スピーカ装置２６は、スピーカ単体のみで構成される場合もあるが、この例ではスピーカボックス内にスピーカが収納されたスピーカ装置を例示する。
【００２６】
浴室１２には浴室タブ２７が設置されると共に、浴室１２と洗面脱衣所１６とは扉２８によって仕切られている。
【００２７】
このように空調装置本体１４の両側に一対のスピーカ装置２６Ｒ，２６Ｌを取り付ける場合、図１にも示すように空調装置本体１４の長手方向に対して左右の向きになるような位置に一対のスピーカ装置２６Ｒ，２６Ｌが取り付け固定される。この場合スピーカ装置２６Ｒ，２６Ｌが離れているため、広がりのあるステレオ音場とすることができる。
【００２８】
洗面脱衣所１６に取り付けられる操作パネル３０は、上述した本体制御用操作パネル３０Ａと、オーディオ装置をコントロールするための操作パネル（オーディオ制御用操作パネル）３０Ｂとで構成される。本体制御用操作パネル３０Ａは空調装置本体１４の運転モードなどを制御するための操作パネルであり、オーディオ制御用操作パネル３０Ｂはオーディオ装置を制御（電源のオンオフ、選局、音量調整など）するための操作パネルである。
【００２９】
本体制御用操作パネル３０Ａとオーディオ制御用操作パネル３０Ｂとは別体構成であっても、一体構成であってもよい。別体構成であるときは、操作性を考慮してこれら操作パネル３０Ａ，３０Ｂは近接配置されることになる。
【００３０】
図２に別体構成の操作パネル例を示す。この操作パネル３０Ａには、制御対象を明確にするため操作パネル識別用の文字、図示の例では「空調」を印した表示部３２を有する。図２の例は、浴室暖房換気乾燥機能を備えた空調装置１４を使用した場合である。したがって運転モード切り換え用のボタンは少なくとも４個備える。
【００３１】
図２の場合には、浴室１２内に干した衣類の乾燥を行う乾燥運転モードを選択するための乾燥ボタン３４ａを始めとして、浴室１２への涼風（送風）の吹き出しを行うと共に、浴室内の空気を排気する涼風運転モード選択ボタン３４ｂ、浴室１２の暖房を行う暖房運転モード選択ボタン３４ｃおよび浴室１２及び洗面脱衣所１６などの他室の空気を図示しない換気ファンにより換気を行う換気運転モード選択ボタン３４ｄがそれぞれ配置される。
【００３２】
暖房運転モードは、図示しないヒータや熱交換器などの加熱手段と加熱手段で温められた空気を図示しない送風（循環）ファンにより、温風として浴室内に吹き出すものである。乾燥運転モードは、図示しない送風（循環）ファンにより、浴室内に温風を吹き出すと共に、図示しない換気ファンによって浴室内の空気を排気することによって換気するものである。それぞれの運転モードが正しく選択されたときは対応する表示灯（ＬＥＤなど）３６ａ〜３６ｄが点灯する。
【００３３】
また、換気風量等の設定値の変更などを行うボタン３８や、設定値を決めるアップ・ダウンボタン４０を備える。設定値はデジタル表示部（ＬＣＤ，ＬＥＤなど）４２によって表示される。さらには、常時換気を行う２４時間換気運転モードを選択するボタン４４や運転モードを停止させるための停止ボタン４６などが設けられている。なお、上述した送風（循環）ファンと、換気ファンは、それぞれ専用の２つのファンで構成することもできれば、１つのファンを共通に使用してもよい。
【００３４】
これらの選択ボタンを操作すると、その制御信号（リモコン信号）が上述した制御ユニット２０に送られて、対応する運転モードが実行される。
【００３５】
本体制御用操作パネル３０Ａに隣接して、オーディオ制御用操作パネル３０Ｂが配置される。オーディオ制御用操作パネル３０Ｂは制御対象が少ないため、本体制御用操作パネル３０Ａのサイズよりも小さい。オーディオ制御用操作パネル３０Ｂにも制御対象を明確にするため操作パネル識別用の文字、図示の例では「オーディオ」を印した表示部５２を有する。
【００３６】
表示部５２の下側には、オーディオ電源部７８（図７参照）を制御する電源スイッチ（オンオフスイッチ）５４、オーディオチャンネルを選局するための選局ボタン５６、音量を調整するための音量調整ボタン５８がそれぞれ設けられる。選局ボタン５６と音量調整ボタン５８はアップ・ダウンキーが使用される。操作パネル３０Ｂにはさらに楽曲等を蓄積した蓄積媒体６６（図４参照）を装着するためのスロット（差し込み口）６０が設けられている。蓄積媒体６６としてはカード状の半導体メモリなどが用いられる。
【００３７】
なお、浴室１２内には、その壁面１２ａに平面型のテレビ受像機などが設置されることも予想され、その場合にはテレビ音声をステレオで楽しむことも考えられる。その場合には予めオーディオ装置を構成するオーディオ回路部（後述する）にテレビ等の映像機器からの音声出力を受ける外部入力端子を備えておくことも可能である。この外部入力端子にテレビ音声出力が供給されたときには、テレビ音声表示部（ＬＥＤなど）６２によってその表示が行われる。このテレビ音声表示部６２は、テレビ音声の事後確認などのとき有効であるが、表示部６２を省略することもできる。
【００３８】
図１において、音声出力用の信号線は、洗面脱衣所１６の天井裏に設置した配線接続切り替え部（配線接続切り替え具）２９を介して行われる。配線接続切り替え部２９は、元の信号線を複数の信号線に分岐できるように構成されると共に、切り替え制御信号Ｓｓによって音声出力の出力経路を選択できるようにしたものである。図１の場合には浴室１２のみスピーカ装置２６が設置されているので、この場合には特に音声出力の出力経路を選択する必要はない。
【００３９】
配線接続切り替え部２９を置くことで、天井裏でも複数の信号線に簡単に分岐させることができるし、音声出力経路の電気的な切り替えも簡単に行える。したがって、スピーカ装置を他室に増設する場合でもその分岐作業を簡単に行えるので、配線作業の施工性が落ちることはない。
【００４０】
図１の例では、配線接続切り替え部２９を基点として、オーディオ制御用操作パネル３０Ｂから配線接続切り替え部２９までを信号線９６Ｒｏ，９６Ｌｏとし、配線接続切り替え部２９からスピーカ装置２６までを信号線９６Ｒ1，９６Ｌ1として示す。
【００４１】
図２は、本体制御用操作パネル３０Ａとオーディオ制御用操作パネル３０Ｂとを近接配置した例であるが、図３のようにこれらの操作パネル３０Ａと３０Ｂとを一体化して１つの操作パネル３０として構成することもできる。１つの操作パネル３０として構成した場合は、その取り付け、取り外しが簡単になり、施工性が向上する。
【００４２】
操作パネル３０Ａ、３０Ｂを別体に構成した場合でも、一体構成した場合でも、図４に示すようにオーディオ制御用操作パネル３０Ｂの裏面側にはオーディオ回路部７２を設けることができる。
【００４３】
オーディオ回路部７２は、スピーカと共にオーディオ装置７０の主要部を成すものであり、少なくともオーディオチューナ部、オーディオアンプ部およびオーディオ電源部、およびそれらを制御する制御部（オーディオ制御部）を含む概念である。
【００４４】
オーディオ回路部７２の取り付け例を図１および図４に示す。図１のように洗面脱衣所１６の壁面１６ａのうち操作し易い個所に操作パネル３０Ａ，３０Ｂが取り付け固定される。そしてオーディオ制御用操作パネル３０Ｂの裏面側にオーディオ回路部７２が配置される。
【００４５】
そのため図４（ａ）に示すように、壁面１６ａの開口部に取り付け固定された操作パネル本体５１の裏面側にプリント基板７１が固定され、このプリント基板７１にオーディオチューナ部７４，オーディオアンプ部７６およびオーディオ電源部７８がそれぞれ載置固定される。オーディオ電源部７８は上述した電源スイッチ５４によってそのオンオフが制御される。オーディオ制御部１１０（図７参照）については図示されていない。
【００４６】
さらに操作パネル本体５１の下部には図４（ａ）に示すように蓄積媒体（半導体メモリ）６６に対するスロット６０が装備されると共に、蓄積媒体６６の読み取り部８０がプリント基板７１の一部に設けられている。この読み取り部８０はスロット６０に蓄積媒体６６が装着されると、この蓄積媒体６６に対して読み取り処理が実行され、蓄積された情報（楽曲情報など）を自動的に読み取るように制御される。
【００４７】
ＣＤプレーヤー８４等の音響機器を室内側から接続できる外部入力端子８３を図４（ｂ）に示すように操作パネル３０Ｂに備えてもよい。
【００４８】
また、この例ではプリント基板７１の一部であってオーディオアンプ部７６に近接した位置にテレビ音声に対する外部入力端子（コンセント）８２が取り付けられた場合を示す。外部入力端子８２に供給されたテレビ音声出力は、オーディオアンプ部７６で増幅されるように接続されている。
【００４９】
テレビ音声出力用の信号線はそのプラグを、壁面１６ａの内部を通して外部入力端子８２に差し込むだけで、オーディオ用のスピーカ２６をテレビ受像機用のスピーカとしても使用することができる。したがって、外部入力端子８２を設けておけば、後述するようにテレビ受像機の新設の際のテレビ音声出力の配線および施工、あるいは既設のテレビ受像機からのテレビ音声出力に対する配線および施工が非常に簡単になる。
【００５０】
オーディオ装置を構成する他方の部材であるスピーカ装置２６は図５のように取り付け固定される。スピーカ装置２６は一対使用した場合である。図５は天井１３の開口部に取り付けられた空調装置本体１４の概念図を示す。
【００５１】
この空調装置本体１４には、空調装置本体１４を天井１３に取り付けるためのフランジ部９０を有する。フランジ部９０の両側であって、空調装置本体１４の開口部を塞がない位置に、取り付け板体９２Ｒ，９２Ｌを介してスピーカ装置２６を構成するスピーカボックス９４Ｒ，９４Ｌが取り付け固定される。
【００５２】
スピーカボックス９４Ｒ，９４Ｌ内にはそれぞれスピーカＳＰｒ，ＳＰｌが、その振動面が浴室タブ側を向くように取り付けられている。スピーカボックス９４Ｒ，９４Ｌは防水型（防水・防湿型であって、以下同じ）である。スピーカＳＰｒ，ＳＰｌはコーン型、平面型の何れでも使用できるが、スピーカボックス９４Ｒ，９４Ｌを小型扁平に構成するためには、小型のコーン型スピーカや小型の平面型スピーカが好ましい。
【００５３】
空調装置本体１４の開口部側および一対のスピーカボックス９４Ｒ、９４Ｌをカバーするようにフロントパネル１００が、フランジ部９０に取り付け固定される。
【００５４】
フロントパネル１００の内面であって、スピーカボックス９４Ｒ、９４Ｌに近接した位置には衝立板１０２が設けられ、浴室１２から吸気された湿度の高い空気がスピーカボックス９４Ｒ，９４Ｌ側に回り込まないようにしてある。
【００５５】
このように空調装置本体１４の両側に一対のスピーカ装置２６Ｒ，２６Ｌを取り付ける場合、図１にも示すように空調装置本体１４の長手方向に対して左右の向きになるような位置に一対のスピーカ装置２６Ｒ，２６Ｌが取り付け固定される。この場合スピーカ装置２６Ｒ，２６Ｌが離れているため、広がりのあるステレオ音場とすることができる。
【００５６】
図５では空調装置本体１４のフランジ部９０に一対のスピーカＳＰｒ，ＳＰｌを取り付けたが、図６に示すようにフロントパネル１００自体にこれらスピーカＳＰｒ，ＳＰｌを取り付け固定することもできる。
【００５７】
この場合には、図６に示すようにフロントパネル１００の内壁であって、空調装置本体１４のフランジ９０と対峙する位置に、板状体からなる矩形状の支持部１０４Ｒ、１０４Ｌを設け、その内部にスピーカボックス９４Ｒ，９４Ｌが装着固定される。こうすれば、空調装置本体１４の開口部を塞ぐことなく一対のスピーカＳＰｒ，ＳＰｌを取り付け固定できる。この場合にもスピーカボックス９４Ｒ，９４Ｌは防水型のボックスが使用される。
【００５８】
図１〜図６に示すように浴室音響システム１０を、オーディオ制御用操作パネル３０Ｂ側にオーディオ回路部７２を集約すると共に、空調装置本体１４側にスピーカ２６を取り付けることで浴室音響システム自体の施工性が大幅に改善される。
【００５９】
オーディオ回路部７２は、他室の壁に取り付けられているので、修理点検作業およびオーディオ回路部７２の追加作業などが簡単に行える。スピーカ２６は天井１３側と言っても、空調装置本体１４のフランジ部９０かフロントパネル１００に取り付けられているので、その保守点検作業およびスピーカ２６の追加工事などが簡単になる。したがって全体として施工性が改善される。
【００６０】
図７は、オーディオ装置７０に対するオーディオ制御系の一例を示す要部のブロック図である。このオーディオ制御系は、その全体の制御を司るオーディオ制御部１１０を有する。オーディオ制御部１１０は周知のようにＣＰＵや制御プログラムメモリ、ワーキングメモリなどから構成される。
【００６１】
オーディオ制御部１１０には図２に示した各種選択ボタン５４，５６，５８などが関連されると共に、二次電池などの電源部１１２からオーディオ制御部１１０用の駆動電圧が供給される。オーディオ制御部１１０ではオーディオ電源部７８がオンされたことを検出することによって、オーディオ装置７０を制御するための各種の信号が生成される。
【００６２】
さらに、このオーディオ制御部１１０には音量調整のための基準値（基準音量）を記憶しておくための記憶手段５９が設けられる。この記憶手段５９はオーディオ制御部１１０内に設けられるワーキング用のメモリと兼用構成とすることもできる。
【００６３】
オーディオ制御部１１０には、空調装置本体１４の制御ユニット２０を制御するための制御情報が供給される。制御情報としては、空調装置本体１４に対する電源のオンオフ信号および各種運転モードに対する制御信号である。これら制御情報が端子６１を介して空調装置本体１４、実際には本体制御用操作パネル３０Ａ側から供給される。
【００６４】
音声出力としては、オーディオチューナ部７４で選局されたオーディオ信号の他に、蓄積媒体６６の読み取り部８０から出力された音声出力、テレビ音声出力などの音声出力を取り扱うので、これらの音声出力が供給される音声切り替え手段１１４が設けられている。音声切り替え手段１１４は制御部１１０からの制御信号に基づいて切り替え制御される。
【００６５】
選局ボタン５６を操作したときの選局信号に基づいてオーディオチューナ部７４が制御され、選局されたチャンネルの音声出力が音声切り替え手段１１４に供給される。同様に、蓄積媒体６６を装着することによって得られる蓄積媒体の再生出力および外部入力端子８２に供給されたテレビ音声出力がそれぞれ音声切り替え手段１１４に供給されると共に、それぞれの音声出力が制御部１１０自体にも供給される。
【００６６】
蓄積媒体６６より再生された音声出力とテレビ音声出力をそれぞれ制御部１１０にも供給したのは、蓄積媒体６６の装着状態やテレビ音声の入力を把握するためである。
【００６７】
音声切り替え手段１１４によって選択された音声出力は後段のオーディオアンプ部７６に供給される。オーディオアンプ部７６には音量調整手段７７が内在されているので、音量調整ボタン５８の操作に応じて音量調整が行われる。
【００６８】
ここで、音声切り替え手段１１４では、読み取り部８０からの音声出力が検知されたときは、オーディオチューナ部７４からの音声出力に優先してその音声出力がオーディオアンプ部７６に供給される。読み取り部８０からの音声出力とテレビ音声出力とが同時に検知され、読み取り部８０からの音声出力と、テレビ音声出力とが競合したときは、テレビ音声出力を優先するように制御プログラムが組まれている。もちろん、優先順位をこれとは逆に設定することも可能である。
【００６９】
制御部１１０では音声出力の出力経路を制御するための制御信号Ｓｓが生成され、この制御信号Ｓｓが配線接続切り替え部１４６に供給される。図１の実施の形態では、この制御信号Ｓｓは特に必要ではない。浴室１２のみにスピーカ２６が設置されているだけで、音声出力の出力経路を制御する必要がないからである。
【００７０】
続いて、このオーディオ制御系の動作を図８を参照して説明する。図８では外部入力端子８２が設けられていないときの制御動作例である。
【００７１】
まず、オーディオ電源部７８のオンオフ状態が判別され（ステップ１２０）、オーディオ電源が投入されたときには、蓄積媒体（リムーバブルメモリ）６６の装着状態を監視する（ステップ１２１）。蓄積媒体６６の装着が検知されなかったときは、オーディオチューナ部７４からの音声出力がオーディオアンプ部７６に供給されるように音声切り替え手段１１４が制御される（ステップ１２２）。
【００７２】
これとは反対に蓄積媒体６６の装着が検知されたときは、読み取り部８０からの音声出力がオーディオアンプ部７６に供給されるように音声切り替え手段１１４が制御される（ステップ１２３）。
【００７３】
オーディオ電源が投入されると、直前に選局されたチャンネルからの音声出力がオーディオチューナ部７４から出力されているが、蓄積媒体６６が装着されたときにはオーディオチューナ部７４側からの音声出力よりも読み取り部８０側からの音声出力を優先させる。これは、蓄積媒体６６を装着したことによって、ユーザは蓄積媒体６６からの音声出力を積極的に視聴する意思があると判断できるからである。
【００７４】
続いて、オーディオ制御用操作パネル３０Ｂの操作に応じた、選局や音量調整などの制御処理が実行される（ステップ１２４）。そして、オーディオ電源部７８の電源状態が判別され（ステップ１２５）、電源のオン状態が継続しているときはステップ１２１に戻って、上述した処理が続行される。入浴中に蓄積媒体６６が外されたときは、音声出力はオーディオチューナ部７４側の音声出力に自動的に切り替わる（ステップ１２１，１２２）。
【００７５】
続いて、音量調整のための処理例を図９を参照して説明する。その前提として、この発明では空調装置本体１４の運転モードに関連して以下のような音量調整を行うものとする。
【００７６】
図９は調整音量と運転モードとの関係を示すものである。乾燥モード時は通常、浴室内に人がいないのでオーディオ装置をオンする必要もなければ、スピーカ装置の音量調整を行う必要もない。そのため、この例は３つの運転モード（換気、暖房および涼風の各運転モード）を例示する。音量調整の基準は、空調装置本体が運転停止状態にあるときに調整された直前の音量を基準にする。この基準音量ＶＲｉは一定ではなく、利用者によって調整された好みの音量となる。空調装置本体１４を使用していないときに調整された直前の音量が、基準音量ＶＲｉとして記憶される。
【００７７】
換気運転モードの場合には、浴室内の空気を排気することのみで他の運転モードと比べると運転音が小さいため、この運転モードでの音量調整は行われない。音量は直前の音量ＶＲｉを維持する。暖房運転モードが選択されたときは、浴室内に温風を吹き出すため換気運転モードより浴室内側で聞こえる運転音が大きいため、この場合には１ステップ（規定量）ΔＶＲだけ音量をアップする。
【００７８】
涼風運転モードの場合には、浴室内への送風と浴室内の空気の排気による換気とを同時に行うため、運転音が暖房モードによって大きくなるので、この場合には２ステップ２ΔＶＲだけ音量をアップする。この増減量は任意に設定できる。
【００７９】
したがって、例えば入浴するとき、図１０に示すような運転モードの選択が行われたときを説明する。まず、１日目は、空調装置本体１４は使用されていないので、この場合には直近にオーディオ装置を使用したときの音量ＶＲｏ（ｉ＝ｏ）がメモリ音量として記憶されている。入浴中に音量を調整したときはその調整後の音量が記憶音量としてメモリされる。
【００８０】
２日目、涼風運転モードで入浴したときには、そのときの音量は、上述したように（ＶＲｏ＋２ΔＶＲ）に自動調整される。そして、このままオーディオ装置の電源を切ったときには、基準音量として読み出した値ＶＲｏが記憶音量としてそのままの値でメモリされる。
【００８１】
つまり、記憶される記憶音量は、空調装置本体１４を運転しているときに出力されている現実の音量ではなく、空調装置本体１４を運転するときに読み出した音量つまり基準音量である。したがって、前回空調装置の非稼動状態のときにオーディオ装置の電源を切ったとき、電源を切る直前に調整された音量が基準音量ＶＲｏであり、記憶音量となる。
【００８２】
空調装置本体１４を運転したときに調整された音量自体を基準音量として記憶すると、空調装置本体１４の稼働中にどのようなレベルに音量が調整されているか不明であるため、場合によっては基準音量が無限に増大し、若しくは減少した値となってしまうおそれがあるからである。あくまでも、空調装置本体１４が稼動していないときに調整された音量であって、オーディオ装置の電源を切る直前の音量が記憶音量として記憶され、そして次に音楽などを聞くときの基準音量として読み出される。
【００８３】
３日目には、換気運転モードにセットして入浴したときには、基準音量ＶＲｏに音量が自動調整される。
【００８４】
４日目には、空調装置本体１４を使用しないで入浴する。そのとき、音量を手動調整してＶＲａ（ＶＲｏとは異なる値）としてそのままオーディオ装置の電源をきると、直前の値ＶＲａが基準音量としてメモリされる。
【００８５】
５日目には、暖房運転モードにセットして入浴すると、今度は、音量が１ステップだけアップした値（ＶＲａ＋ΔＶＲ）に自動調整される。基準音量の値がＶＲｏからＶＲａに変更された場合でも、１ステップのアップ量は規定の単位音量レベル（ΔＶＲ）である。そして、直前の音量ＶＲａが記憶音量としてメモリされる。
【００８６】
６日目には、空調装置本体１４を切って入浴する。そうすると、この場合には基準音量として直前にメモリした値ＶＲａが読み出されて、その音量で出力される。しかし、直前の音量をＶＲｂに調整した状態でオーディオ装置の電源を切ったときは、今度はこの直前の音量ＶＲｂが記憶音量としてメモリされ、基準音量として読み出される。
【００８７】
以上の処理をフロー化すると、図１１のようになる。この処理プログラムは、空調装置本体１４が稼働していても、オーディオ装置が動作状態にないときには起動されない。
【００８８】
オーディオ装置の電源がオンされると、図１１に示す処理プログラムが起動され、最初に空調装置本体の稼働状態が判別される（ステップ１３２）。空調装置が稼働していないときは、オーディオ装置の電源を切った直前の音量ＶＲｏがメモリされているので、その音量値が読み出され、その音量ＶＲｏで出力される（ステップ１３３）。この音量値の調整は任意である。
【００８９】
空調装置の稼働状態はオーディオ装置の電源が切られるまで監視状態下に置かれる（ステップ１３９，１３２）。空調装置が選択されると、運転モードが判別される（ステップ１３４）。
【００９０】
運転モードが換気運転モードであるときは、音量の自動調整はなされない（ステップ１３４，１３３）。そして再びオーディオ装置の電源監視状態および運転モードの監視状態に遷移する。
【００９１】
運転モードが暖房運転モードであるときは（ステップ１３５）、読み出した直前の音量ＶＲｏを１ステップだけアップし、１ステップアップした音量ＶＲ１で出力される（ステップ１３６）。この場合、自動的に音量が調整された場合でも、手動調整が優先される。
【００９２】
そして、再びオーディオ装置の電源および運転モードをそれぞれ監視し、上述した何れの運転モードでないときは、図１１の例では涼風運転モードとなる（ステップ１３７）。この場合には上述したように直前の音量ＶＲｏを２ステップアップした音量ＶＲ２で出力される。
【００９３】
このように、空調装置が選択されたときは、その運転モードに応じて音量の自動調整（アップダウン）が行われるので、空調装置を使用したときでも常に最適な音量で音楽などを楽しむことができる。
【００９４】
音量の調整は自動であるので、浴室外にオーディオ制御用操作パネル３０Ｂが設置されている場合でも、面倒な音量調整の必要がない。
【００９５】
なお、前述のオーディオ回路部はオーディオ操作用パネル３０Ｂ側に設けたが、浴室内の天井裏に配置して、図示しない浴室の開閉可能な点検口よりメンテナンスを行えるようにしてもよい。
【産業上の利用可能性】
【００９６】
この発明は、個別住宅や集合住宅を問わず、浴室内に空調装置が設置されているか、これから設置する場合を問わず、オーディオ装置を備えた浴室音響システムに適用できる。
【図面の簡単な説明】
【００９７】
【図１】この発明に係る浴室音響システムの第１の実施の形態を示す要部の断面図である。
【図２】第１の実施の形態における本体制御用操作パネルとオーディオ制御用操作パネルの構成例を示す配置図である。
【図３】第１の実施の形態における本体制御用操作パネルとオーディオ制御用操作パネルを一体化したときの構成例を示す配置図である。
【図４】オーディオ制御用操作パネルに設けられるオーディオ装置の一例を示す概念図である。
【図５】空調装置本体と設置スピーカとの関係を示す要部断面図である（その１）。
【図６】空調装置本体と設置スピーカとの関係を示す要部断面図である（その２）。
【図７】第１の実施の形態における浴室音響システムの制御系の一例を示す要部の系統図である。
【図８】第１の実施の形態における浴室音響システムの制御処理例を示すフローチャートである。
【図９】運転モードと音量調整との関係を示す図である。
【図１０】運転モードに応じた音量調整状態の説明図である。
【図１１】運転モードに応じた自動音量調整処理例を示すフローチャートである。
【符号の説明】
【００９８】
１０・・・浴室音響システム、１２・・・浴室、１３・・・天井、１６・・・洗面脱衣所、１４・・・空調装置本体、２６・・・スピーカ装置、３０・・・操作パネル、３０Ａ・・・本体制御用操作パネル、３０Ｂ・・・オーディオ制御用操作パネル、７０・・・オーディオ装置、７４・・・オーディオチューナ部、７６・・・オーディオアンプ部、７８・・・オーディオ電源部、１１０・・・オーディオ制御部
【図１】
2008193607.tif 000003
【図２】
2008193607.tif 000004
【図３】
2008193607.tif 000005
【図４】
2008193607.tif 000006
【図５】
2008193607.tif 000007
【図６】
2008193607.tif 000008
【図７】
2008193607.tif 000009
【図８】
2008193607.tif 000010
【図９】
2008193607.tif 000011
【図１０】
2008193607.tif 000012
【図１１】
2008193607.tif 000013